(57)【要約】      （修正有）【課題】簡便な篩網に廃水を供給するだけで、繊維屑その他の微小固形物と水とを水の表面張力の影響なく分離し、排水又は廃水を浄化することを目的とする。【解決手段】  機枠１に微小篩目による篩網２を縦方向に急傾斜に支持し、該篩網２の上端篩上面上に汚水供給口３を設け、該篩網２の篩下面に止水板４，４’を突設し、該止水板４，４’とその上流側篩網２との狭角部分ａ，ａ’に篩上面に向う水又はエア放出口５，５を並設してなる固液分離装置。【選択図】  図１
2007190515.tif 000002
【特許請求の範囲】
【請求項１】
機枠に微小篩目による篩網を縦方向に急傾斜に支持し、
該篩網の上端篩上面上に汚水供給口を設け、
該篩網の篩下面に止水板を突設し、
該止水板の上流側篩網篩上又は篩下に篩網に向う水又はエア放出口を並設してなる固液分離装置。
【請求項２】
上記急傾斜の角度が水平に対し４５度〜６５度程度である請求項１記載の固液分離装置。
【請求項３】
上記止水板を上記篩網に複数設けた請求項１又は２記載の固液分離装置。
【請求項４】
上記水又はエア放出口を横方向に設けた配管に複数穿設した請求項１〜３のいずれかに記載の固液分離装置。
【発明の詳細な説明】
【技術分野】
【０００１】
本発明は工場廃水等の汚濁水から微小固形物を分離回収し、清水を放流する技術に関するものである。
【背景技術】
【０００２】
従来、多量の廃水中には微細な繊維屑等の固形物を含み、放流することによって農業又は環境を汚染した（特許文献１）。
【０００３】
そこで上記廃水の篩網（ふるいあみ）トロンメルによる固液分離装置が開発された（特許文献２）。
【０００４】
上記固液水離装置は微細篩網(微細メッシュ)を用い、網目が微小であるため、水の表面張力が作用して篩下面に透過水が附着し透過水フイルムを形成し、篩網から透過水が分離落下し難く、篩網の下端排出部で篩上固形物と透過水とが一緒になり篩上(ふるいうえ)の固形物と篩下(ふるいした)の水とを分離し難いという問題があった。
【０００５】
【特許文献１】特開２００２−２８４０９号
【特許文献２】特開２００４−１７４３１３号
【発明の開示】
【発明が解決しようとする課題】
【０００６】
本発明は簡便な篩網に廃水を供給するだけで、繊維屑その他の微小固形物と水とを水の表面張力の影響なく分離し、排水又は廃水を浄化することを目的とする。
【課題を解決するための手段】
【０００７】
上記の目的を達成するため本発明は、
第１に機枠に微小篩目による篩網を縦方向に急傾斜に支持し、該篩網の上端篩上面上に汚水供給口を設け、該篩網の篩下面に止水板を突設し、該止水板の上流側篩網篩上又は篩下に篩網に向う水又はエア放出口を並設してなる固液分離装置、
第２に上記急傾斜の角度が水平に対し４５度〜６５度程度である請求項１記載の固液分離装置、
第３上記止水板を上記篩網に複数設けた請求項１又は２記載の固液分離装置、
第４に上記水又はエア放出口を横方向に設けた配管に複数穿設した請求項１〜３のいずれかに記載の固液分離装置、
によって構成される。
【０００８】
従って汚水供給口から汚濁水を上記篩網上に供給すると、汚濁水中の浮遊微細固形物と水とは上記篩網上を流下し、その間水は篩下に、上記固形物は篩上に分離して流下する。
【０００９】
そして篩下の水は表面張力によって篩下面に附着状態に流下し止水板によって止められて下方に流下し固形物は篩上面中程に堆積する。
【００１０】
堆積した固形物は水又はエア放出口から放出されるシャワ又はエアによって篩上面に分散し、上記シャワ又は篩上残留水によって篩上面をさらに流下する動作を繰返して篩網の下端から固形物は落下し、かつ篩下附着水は次の止水板に沿って下方に落下し、
結局上記汚水は篩網の下端から上記固形物が落下し、篩網の篩下面から止水板に沿って水は落下し、固液分離される。
【発明の効果】
【００１１】
本発明は上述のように構成したので作業汚水を急傾斜篩網に傾斜方向に供給するだけで、水の表面張力の影響を止水板でカットして篩下水を止水板に沿って落下し、
篩上に堆積する微細固形物は水又はエア放出口からのシャワ又はエアによって分散して、さらにシャワ水又は篩上残留水によって篩網上を流下し固液分離を迅速容易に行うことができる。
【発明を実施するための最良の形態】
【００１２】
地面６に設けた機枠１の上端に汚水タンク７を設け、該タンク７の下端から地面６に設けた回収用水槽８の開口部架設杆９に向って長方形支持枠１０を縦方向に４５度〜６５度程度の急傾斜角に支持し、上記角度は上記架設杆９の前後摺動、上部傾斜支持杆１１の長孔１２と止めボルト１３との調整によって定めることができる。
【００１３】
長方形支持枠１０には微小網目（１５０〜２００番程度）の篩網(ふるいあみ)２を張設する。
【００１４】
上記タンク７の下端には上記支持枠１０の上端に沿って篩上（ふるいうえ）面上に汚水供給口３を篩網２の横幅に等しく開口する。
【００１５】
上記篩網２の中程及び下端には篩下（ふるいした）面に篩網２と直交する止水板４，４’を篩下側に配置（突設）し、その両端部を上記支持枠１０の下面に溶着固定する。
【００１６】
上記中程止水板４の高さを低く、下端止水板４’の高さを高く形成する。
【００１７】
上記架設杆９には上記水槽８内に固形物回収槽１４を着脱自在に設けるものである。
【００１８】
又上記止水板４，４’と、それらの上流側篩網２との狭角部分ａ，ａ’に横方向に配管１５，１５’を配管し、該配管１５，１５’に等間隔に複数の水放出口５又はエア放出口５’を穿設する。
【００１９】
上記中程止水板４と篩網２との狭角部分ａ又図１(イ)(ロ)図仮想線で示すように該配管１５，１５’を上流側篩網２の篩上に設けることができる。又上記仮想線のように、その篩上側にある配管１５では水放出口５を穿設し、下端止水板４’との狭角部分ａ’又は上記仮想線のように、その篩上側にある配管１５’にエア放出口５’を穿設すると良いが、篩下（ふるいした）面の附着水量、篩上（ふるいうえ）面の残留水量及び固形物堆積状態によって水放出口５及びエア放出口５’の配置を中程又は下端止水板４又４’の何れの上記狭角部分ａ又はａ’或は上記仮想線のように篩上に設けても良い。
【００２０】
従って汚水供給口３から汚濁水を上記篩網２上に供給すると、汚濁水中の浮遊微細固形物と水とは上記篩網２上を流下し、その間水は篩下（ふるいした）に、上記固形物は篩上（ふるいうえ）に分離して流下する。
【００２１】
そして篩下（ふるいした）の水ｗは表面張力によって篩下面に附着状態に流下し止水板４又は４’によって止められて下方に誘導されて流下し固形物ｓは篩上面中程に堆積する。
【００２２】
堆積した固形物ｓは水又はエア放出口ｃ又はｃ”から放出されるシャワ又はエアｐ又はｐ’によって篩上面に分散し、上記シャワ又は篩上残留水ｗ’によって篩上面をさらに流下する動作を繰返して篩網２の下端から固形物ｓは落下し、かつ篩下附着水ｗは次の止水板４’に沿って誘導されて下方に落下し、
結局上記汚水は篩網２の下端から上記固形物ｓが落下し、篩網２の篩下面から止水板４’に誘導されて水ｗ’は落下し、固液分離される。
【００２３】
図中Ｐで示すものはポンプ、Ｂはブロワー又はコンプレッサ、１６は流量調整弁である。
【産業上の利用可能性】
【００２４】
上記汚水タンク７には連続送水管を接続し、回収用水槽８に回収用配管及びポンプに接続し、上記固形物回収槽１４に搬出コンベアを接続することによって回収固形物を再利用装置又は焼却装置に接続して連続処理を行うことができる。
【図面の簡単な説明】
【００２５】
【図１】（イ）図は本発明の固液分離装置、（ロ）図は（イ）図の一部拡大図である。
【図２】図１の斜視図である。
【符号の説明】
【００２６】
１          機枠
２          篩網
３          汚水供給口
４，４’    止水板
ａ，ａ’    狭角部分
５          水放出口
５’        エア放出口
【図１】
2007190515.tif 000003
【図２】
2007190515.tif 000004